(57)【要約】      （修正有）【課題】堀り炬燵の形態に近く、楽な姿勢で座ることができる炬燵用椅子のセットを提供する。【解決手段】脚部１０１を有し座面１００が三角形状の４個の椅子１を配設して椅子１により区画される四角形状の空間Ｓを椅子１の内側に設け、空間Ｓ内部に炬燵２を配設できるようにしてなる炬燵用椅子配設構造。椅子１が、移動可能に構成され、炬燵２が、電気炬燵であることが好ましい。空間内部に数多く常用されている四角形状の電気炬燵を配設することができる。脚部上の座面に座れば掘り炬燵のような使用が可能である。掘り炬燵の設置の場合のような畳に開口部を開けたりしなくて済み工事費用に多大の費用を要することがない。建物の隅部を利用して設置することができる。椅子の下部を物の収納に使用し得る。【選択図】図１
0003184045.tif 000002
【実用新案登録請求の範囲】
【請求項１】
脚部を有し座面が角形の複数の椅子を配設して当該複数の椅子により区画される空間を当該複数の椅子の内側に設け、当該空間内部に炬燵を配設できるようにしてなることを特徴とする炬燵用椅子配設構造。
【請求項２】
請求項１に記載の炬燵用椅子配設構造が、脚部を有し座面が三角形状の４個の椅子を配設して当該４個の椅子により区画される四角形状の空間を当該４個の椅子の内側に設け、当該空間内部に炬燵を配設できるようにしてなることを特徴とする、請求項１に記載の炬燵用椅子配設構造。
【請求項３】
椅子が、キャスタ−を備え、移動可能に構成されてなることを特徴とする、請求項１又は２に記載の炬燵用椅子配設構造。
【考案の詳細な説明】
【技術分野】
【０００１】
本考案は、炬燵用椅子配設構造に関する。
【背景技術】
【０００２】
電気炬燵は、通常は、椅子が備えられていないので、掘り炬燵などのようには、座れない。脚部を有しない座面と背もたれとを備えた座椅子を使用して座ることができるが、座椅子は、腰が痛くなりやすく、掘り炬燵のような楽な姿勢で座ることができない。
掘り炬燵は、楽な姿勢で暖をとれるので、便利に使用されてはいるが、畳に開口部を開けたりして、その工事費用に多大の費用を要することが多い。
又、掘り炬燵は、通常、図９に示すように、居間の中央部に設置されることが多く、その為、掘り炬燵Ｈにより、その居間の多くの空間を占拠してしまうことになる。ワンル−ムマンション等の場合には、掘り炬燵の設置が部屋の空間を多大に占拠してしまうので、掘り炬燵を設置したくても躊躇してしまうことが多い。
【先行技術文献】
【特許文献】
【０００３】
【特許文献１】実開平３−６１２５６号公報、特開平２−６１２５６号公報、特開２０００−３０００２９号公報、実開平３−６７９０１号公報
【考案の開示】
【考案が解決しようとする課題】
【０００４】
本考案は、上記従来技術の有する欠点を解消することができる新規な技術を提供することを目的としたものである。
本考案の他の目的や新規な特徴については本件明細書及び図面の記載からも明らかになるであろう。
【課題を解決するための手段】
【０００５】
本考案は、請求項１に記載のように、脚部を有し座面が角形の複数の椅子を配設して当該複数の椅子により区画される空間を当該複数の椅子の内側に設け、当該空間内部に炬燵を配設できるようにしてなることを特徴とする炬燵用椅子配設構造に関するものである。
本考案の好ましい実施態様は、請求項２に記載のように、上記の炬燵用椅子配設構造が、脚部を有し座面が三角形状の４個の椅子を配設して当該４個の椅子により区画される四角形状の空間を当該４個の椅子の内側に設け、当該空間内部に炬燵を配設できるようにしてなることを特徴とするものである。
本考案の好ましい実施態様は、請求項３に記載のように、椅子が、キャスタ−を備え、移動可能に構成されてなることを特徴とするものである。
【考案の効果】
【０００６】
本考案によれば、請求項１に記載のような構成を採用することにより、次のような優れた作用効果を奏することができる。
本考案では、脚部を有し座面が角形の複数の椅子を配設して当該複数の椅子により区画される空間を当該複数の椅子の内側に設け、当該空間内部に炬燵を配設できるようにしてなるので、当該空間内部に、電気炬燵を配設して、当該脚部上の座面に座れば、掘り炬燵のような使用が可能である。掘り炬燵の形態に近くなるので、脚部を有しない座椅子の使用のような場合の腰が痛くなり易くなることがなく、掘り炬燵のような楽な姿勢で座ることができる。
掘り炬燵の設置の場合のような畳に開口部を開けたりしなくて済むので、工事費用に多大の費用を要することがなく、座面が角形の複数個の椅子を配設して当該複数個の椅子により区画される空間を当該椅子の内側に設け、当該空間内部に、市販の電気炬燵を配設すれば、掘り炬燵様の炬燵が形成でき、工事費がかからない。
本考案では、建物の隅部（コ−ナ−）を利用して設置することができ、従来例のような居間の中央部に設置する必要がないので、ワンル−ムマンション等のような狭い空間の建物でも、掘り炬燵様の炬燵の施工が可能で、従来例のような居間の中央部に設置して、その居間の多くの空間を占拠してしまうようなことがない。又、本考案によれば、椅子の下部を物の収納に便利に使用し得る。
電気炬燵においては、脚部を有しない座面と背もたれとを備えた座椅子を使用するが、本考案では、背もたれを備えていない脚部を有する椅子に座って、上記のように、掘り炬燵様に使用する点、電気炬燵とは異なる。
テ−ブル炬燵の椅子は、脚部がある点では、本考案と共通するが、テ−ブル炬燵の椅子は、背もたれを有するのに対して、本考案では、椅子に背もたれを有しない点で異なる。本考案では、椅子に背もたれを有しないので、テ−ブル炬燵の椅子のように背もたれが邪魔になることがなく、空間内部に配設した電気炬燵の内部に、椅子を移動させることができ、椅子の下部を物の収納に使用し得る。
【０００７】
本考案によれば、請求項２に記載のような構成を採用することにより、より一層、次のような優れた作用効果を奏することができる。
本考案では、脚部を有し座面が三角形状の４個の椅子を配設して当該椅子により区画される四角形状の空間を当該椅子の内側に設け、当該空間内部に炬燵を配設できるようにしてなるので、上記した優れた作用効果に加えて、当該空間内部に、数多く常用されている四角形状の電気炬燵を配設することができる。
【０００８】
本考案の炬燵用椅子配設構造によれば、狭い空間での掘り炬燵様の炬燵の施工が可能であり、それに増して、本考案の好ましい実施態様を示す請求項３によれば、上記の椅子が、キャスタ−付きで移動可能に構成されてなり、椅子を、例えば、電気炬燵内部に移動すれば、全体で占める面積をより一層狭めることができる。
【考案を実施するための最良の形態】
【０００９】
次に、本考案の実施例を図面を参照しつつ説明する。
【実施例】
【００１０】
図１、図２、図３、図４（Ａ）及び図４（Ｂ）に示すように、座面１００が三角形状の４個の椅子１を配設して、当該椅子１により区画される四角形状の空間Ｓを当該椅子１の内側に設ける。
当該椅子１は、座面１００が三角形状で、例えば、図示例のように、２等辺三角形により形成される。当該座面１００を有する座板は、例えば、木材により形成される。
椅子１は脚部１０１を有し、当該脚部１０１は、図示例のように、各椅子１の各コ−ナ−部の３箇所と三角形の長辺の中央に１カ所立設される。
図３及び図４（Ｂ）に示されるように、当該４個の椅子１により区画して、四角形状の空間Ｓを当該椅子１の内側に設ける。
当該空間Ｓ内部には、炬燵２例えば電気炬燵を配設できる。
電気炬燵２は、例えば、図５に示すような炬燵２が配設できる。当該電気炬燵２は、天面（天板）２００が四角形状で、当該天面２００の下部の各コ−ナ−部４カ所に脚部２０１が立設されている。
当該天面２００の裏面には、発熱部２０２が設けられ、当該発熱部２０２とスイッチ部２０３とは電気コ−ド２０４により電気的に接続され、当該スイッチ部２０３をスイッチオンすることにより、当該発熱部２０２は電気的に発熱するようになっている。
【００１１】
図２に示すように、当該電気炬燵２を、上記の座面１００が三角形状の４個の椅子１により区画形成した四角形状の空間Ｓに配設する。
【００１２】
図１に示すように、当該椅子１の内側の電気炬燵２を中心として、その周囲に当該椅子１が配設される。
【００１３】
図２に示すように、当該空間Ｓ内部には、上記のような常用されている電気炬燵２を配設することができ、当該椅子１の平らな三角座面１００に座れば掘り炬燵のような使用が可能である。掘り炬燵の形態に近くなるので、座椅子の使用のような場合の腰が痛くなり易くなることがなく、掘り炬燵のような楽な姿勢で座ることができる。
掘り炬燵の設置の場合のような畳に開口部を開けたりしなくて済むので、工事費用に多大の費用を要することがなく、座面が三角形状の４個の椅子１を配設して当該椅子１により区画される四角形状の空間Ｓを当該椅子１の内側に設け、当該空間Ｓ内部に、通常、数多く売られている市販の四角形状の電気炬燵２を配設すれば掘り炬燵様の炬燵が形成でき、工事費がかからない。
【００１４】
本考案の炬燵用椅子配設構造によれば、狭い空間での掘り炬燵様の炬燵の施工が可能であり、それに増して、上記の椅子１が、移動可能に構成されてなると、より一層、面積をより一層狭めることができる。
図６は、その図示例を示し、同図に示すように、例えば、一隅の椅子１を、例えば、電気炬燵内部に移動すれば、全体で占める面積をより一層狭めることができる。椅子１には、例えば、脚部の端部にキャスタ−を取付け移動可能にすることができる。
【００１５】
本考案によれば、図７に示すように、掘り炬燵様の炬燵を形成できる。
図７に示すように、前記のような天面２００の裏面に発熱部（発熱源）２０２が設けられた電気炬燵２を配設し、それに加えて、炬燵下部ボックス３にも発熱部４を備えさせると、より暖かい炬燵が形成できる。
炬燵は、図７に示すように、当該電気炬燵の天面に掛け布団５を掛ければよい。
又、上記のように、本考案によれば、椅子１の下部を物の収納に便利に使用し得る。
【００１６】
本考案によれば、その構造上、狭い空間でも場所を取らずに炬燵２を配設でき、建物の隅部（コ−ナ−）Ｃを利用して設置することができ、その為、ワンル−ムマンション等のような狭い空間の建物でも、掘り炬燵様の炬燵の施工が可能で、従来例のような居間の中央部に設置して、その居間の多くの空間を占拠してしまうようなことがない。
図８は、１ｋのワンル−ムマンションの配置例図である。
本考案によれば、例えば、図８に示すように、キッチンＫに隣り合わせの居間（畳敷）の隅部（コ−ナ−部）Ｃに掘り炬燵様の炬燵を設置することができる。  隅部（コ−ナ−部）Ｃのような狭い空間でも、少ない面積で掘り炬燵を施工でき、冬季には、勿論、掘り炬燵として使用可能で、夏季には、椅子１を有するテ−ブルとしても使用可能で、且つ、椅子１の下部を物の収納にも便利に使用可能となすことができる。
【００１７】
本考案による作用効果を、図示例の図１０を以て対比する。
仮に、図１０（Ａ）に示すように、四角形状の椅子により、四角形状の空間Ｓを形成して、当該空間Ｓ内部に四角形状の電気炬燵を配設するとすると、図示の四隅Ｗが無駄になる。又、図１０（Ｂ）に示すように、円形内部に四角形状の空間を形成して、当該空間内部に四角形状の電気炬燵を配設するとすると、電気炬燵の円周全部が必要となる。
本考案では、図４（Ａ）及び図４（Ｂ）に示すように、四隅が無駄になることがなく、又、円周全部を要しない。
【００１８】
本考案は上記実施例に限定されず、適宜変更が可能である。
【産業上の利用可能性】
【００１９】
本考案は、各種の炬燵に適用することができる。堀炬燵用の座卓を前記空間に配設することもできる。
【図面の簡単な説明】
【００２０】
【図１】本考案の実施例を示す炬燵の立体図である。
【図２】本考案の実施例を示す炬燵の組立図である。
【図３】本考案の実施例を示す炬燵用椅子配設構造の立面図である。
【図４】（Ａ）及び（Ｂ）それぞれ本考案の実施例を示す炬燵用椅子配設構造の平面図である。
【図５】本考案の実施例で使用される電気炬燵の立体図である。
【図６】（Ａ）及び（Ｂ）それぞれ本考案の実施例を示す平面図である。
【図７】本考案の他の実施例を示す断面図である。
【図８】本考案の実施例を示す建物の構成図である。
【図９】従来例の炬燵の配置図である。
【図１０】（Ａ）及び（Ｂ）それぞれ本考案の作用効果の説明図である。
【００２１】
１    椅子
２    炬燵
３    下部ボックス
４    発熱部
５    脚部
１００    座面
１０１    脚部
Ｓ    空間
Ｃ    隅部（コ−ナ−部）
【図１】
0003184045.tif 000003
【図２】
0003184045.tif 000004
【図３】
0003184045.tif 000005
【図４】
0003184045.tif 000006
【図５】
0003184045.tif 000007
【図６】
0003184045.tif 000008
【図７】
0003184045.tif 000009
【図８】
0003184045.tif 000010
【図９】
0003184045.tif 000011
【図１０】
0003184045.tif 000012
【手続補正書】
【提出日】平成25年4月3日(2013.4.3)
【手続補正１】
【補正対象書類名】実用新案登録請求の範囲
【補正対象項目名】全文
【補正方法】変更
【補正の内容】
【実用新案登録請求の範囲】
【請求項１】
脚部を有し座面が角形の複数の椅子を配設して当該複数の椅子により区画される空間を当該複数の椅子の内側に設け、当該空間内部に炬燵を配設できるようにしてなることを特徴とする炬燵用椅子のセット。
【請求項２】
請求項１に記載の炬燵用椅子のセットが、脚部を有し座面が三角形状の４個の椅子を配設して当該４個の椅子により区画される四角形状の空間を当該４個の椅子の内側に設け、当該空間内部に炬燵を配設できるようにしてなることを特徴とする、請求項１に記載の炬燵用椅子のセット。
【請求項３】
椅子が、キャスタ−を備え、移動可能に構成されてなることを特徴とする、請求項１又は２に記載の炬燵用椅子のセット。
【手続補正２】
【補正対象書類名】明細書
【補正対象項目名】全文
【補正方法】変更
【補正の内容】
【考案の詳細な説明】
【技術分野】
【０００１】
本考案は、炬燵用椅子のセットに関する。
【背景技術】
【０００２】
電気炬燵は、通常は、椅子が備えられていないので、掘り炬燵などのようには、座れない。脚部を有しない座面と背もたれとを備えた座椅子を使用して座ることができるが、座椅子は、腰が痛くなりやすく、掘り炬燵のような楽な姿勢で座ることができない。
掘り炬燵は、楽な姿勢で暖をとれるので、便利に使用されてはいるが、畳に開口部を開けたりして、その工事費用に多大の費用を要することが多い。
又、掘り炬燵は、通常、図９に示すように、居間の中央部に設置されることが多く、その為、掘り炬燵Ｈにより、その居間の多くの空間を占拠してしまうことになる。ワンル−ムマンション等の場合には、掘り炬燵の設置が部屋の空間を多大に占拠してしまうので、掘り炬燵を設置したくても躊躇してしまうことが多い。
【先行技術文献】
【特許文献】
【０００３】
【特許文献１】実開平３−６１２５６号公報、特開平２−６１２５６号公報、特開２０００−３０００２９号公報、実開平３−６７９０１号公報
【考案の開示】
【考案が解決しようとする課題】
【０００４】
本考案は、上記従来技術の有する欠点を解消することができる新規な技術を提供することを目的としたものである。
本考案の他の目的や新規な特徴については本件明細書及び図面の記載からも明らかになるであろう。
【課題を解決するための手段】
【０００５】
本考案は、請求項１に記載のように、脚部を有し座面が角形の複数の椅子を配設して当該複数の椅子により区画される空間を当該複数の椅子の内側に設け、当該空間内部に炬燵を配設できるようにしてなることを特徴とする炬燵用椅子のセットに関するものである。
本考案の好ましい実施態様は、請求項２に記載のように、上記の炬燵用椅子のセットが、脚部を有し座面が三角形状の４個の椅子を配設して当該４個の椅子により区画される四角形状の空間を当該４個の椅子の内側に設け、当該空間内部に炬燵を配設できるようにしてなることを特徴とするものである。
本考案の好ましい実施態様は、請求項３に記載のように、椅子が、キャスタ−を備え、移動可能に構成されてなることを特徴とするものである。
【考案の効果】
【０００６】
本考案によれば、請求項１に記載のような構成を採用することにより、次のような優れた作用効果を奏することができる。
本考案では、脚部を有し座面が角形の複数の椅子を配設して当該複数の椅子により区画される空間を当該複数の椅子の内側に設け、当該空間内部に炬燵を配設できるようにしてなるので、当該空間内部に、電気炬燵を配設して、当該脚部上の座面に座れば、掘り炬燵のような使用が可能である。掘り炬燵の形態に近くなるので、脚部を有しない座椅子の使用のような場合の腰が痛くなり易くなることがなく、掘り炬燵のような楽な姿勢で座ることができる。
掘り炬燵の設置の場合のような畳に開口部を開けたりしなくて済むので、工事費用に多大の費用を要することがなく、座面が角形の複数個の椅子を配設して当該複数個の椅子により区画される空間を当該椅子の内側に設け、当該空間内部に、市販の電気炬燵を配設すれば、掘り炬燵様の炬燵が形成でき、工事費がかからない。
本考案では、建物の隅部（コ−ナ−）を利用して設置することができ、従来例のような居間の中央部に設置する必要がないので、ワンル−ムマンション等のような狭い空間の建物でも、掘り炬燵様の炬燵の施工が可能で、従来例のような居間の中央部に設置して、その居間の多くの空間を占拠してしまうようなことがない。又、本考案によれば、椅子の下部を物の収納に便利に使用し得る。
電気炬燵においては、脚部を有しない座面と背もたれとを備えた座椅子を使用するが、本考案では、背もたれを備えていない脚部を有する椅子に座って、上記のように、掘り炬燵様に使用する点、電気炬燵とは異なる。
テ−ブル炬燵の椅子は、脚部がある点では、本考案と共通するが、テ−ブル炬燵の椅子は、背もたれを有するのに対して、本考案では、椅子に背もたれを有しない点で異なる。本考案では、椅子に背もたれを有しないので、テ−ブル炬燵の椅子のように背もたれが邪魔になることがなく、空間内部に配設した電気炬燵の内部に、椅子を移動させることができ、椅子の下部を物の収納に使用し得る。
【０００７】
本考案によれば、請求項２に記載のような構成を採用することにより、より一層、次のような優れた作用効果を奏することができる。
本考案では、脚部を有し座面が三角形状の４個の椅子を配設して当該椅子により区画される四角形状の空間を当該椅子の内側に設け、当該空間内部に炬燵を配設できるようにしてなるので、上記した優れた作用効果に加えて、当該空間内部に、数多く常用されている四角形状の電気炬燵を配設することができる。
【０００８】
本考案の炬燵用椅子のセットによれば、狭い空間での掘り炬燵様の炬燵の施工が可能であり、それに増して、本考案の好ましい実施態様を示す請求項３によれば、上記の椅子が、キャスタ−付きで移動可能に構成されてなり、椅子を、例えば、電気炬燵内部に移動すれば、全体で占める面積をより一層狭めることができる。
【考案を実施するための最良の形態】
【０００９】
次に、本考案の実施例を図面を参照しつつ説明する。
【実施例】
【００１０】
図１、図２、図３、図４（Ａ）及び図４（Ｂ）に示すように、座面１００が三角形状の４個の椅子１を配設して、当該椅子１により区画される四角形状の空間Ｓを当該椅子１の内側に設ける。
当該椅子１は、座面１００が三角形状で、例えば、図示例のように、２等辺三角形により形成される。当該座面１００を有する座板は、例えば、木材により形成される。
椅子１は脚部１０１を有し、当該脚部１０１は、図示例のように、各椅子１の各コ−ナ−部の３箇所と三角形の長辺の中央に１カ所立設される。
図３及び図４（Ｂ）に示されるように、当該４個の椅子１により区画して、四角形状の空間Ｓを当該椅子１の内側に設ける。
当該空間Ｓ内部には、炬燵２例えば電気炬燵を配設できる。
電気炬燵２は、例えば、図５に示すような炬燵２が配設できる。当該電気炬燵２は、天面（天板）２００が四角形状で、当該天面２００の下部の各コ−ナ−部４カ所に脚部２０１が立設されている。
当該天面２００の裏面には、発熱部２０２が設けられ、当該発熱部２０２とスイッチ部２０３とは電気コ−ド２０４により電気的に接続され、当該スイッチ部２０３をスイッチオンすることにより、当該発熱部２０２は電気的に発熱するようになっている。
【００１１】
図２に示すように、当該電気炬燵２を、上記の座面１００が三角形状の４個の椅子１により区画形成した四角形状の空間Ｓに配設する。
【００１２】
図１に示すように、当該椅子１の内側の電気炬燵２を中心として、その周囲に当該椅子１が配設される。
【００１３】
図２に示すように、当該空間Ｓ内部には、上記のような常用されている電気炬燵２を配設することができ、当該椅子１の平らな三角座面１００に座れば掘り炬燵のような使用が可能である。掘り炬燵の形態に近くなるので、座椅子の使用のような場合の腰が痛くなり易くなることがなく、掘り炬燵のような楽な姿勢で座ることができる。
掘り炬燵の設置の場合のような畳に開口部を開けたりしなくて済むので、工事費用に多大の費用を要することがなく、座面が三角形状の４個の椅子１を配設して当該椅子１により区画される四角形状の空間Ｓを当該椅子１の内側に設け、当該空間Ｓ内部に、通常、数多く売られている市販の四角形状の電気炬燵２を配設すれば掘り炬燵様の炬燵が形成でき、工事費がかからない。
【００１４】
本考案の炬燵用椅子のセットによれば、狭い空間での掘り炬燵様の炬燵の施工が可能であり、それに増して、上記の椅子１が、移動可能に構成されてなると、より一層、面積をより一層狭めることができる。
図６は、その図示例を示し、同図に示すように、例えば、一隅の椅子１を、例えば、電気炬燵内部に移動すれば、全体で占める面積をより一層狭めることができる。椅子１には、例えば、脚部の端部にキャスタ−を取付け移動可能にすることができる。
【００１５】
本考案によれば、図７に示すように、掘り炬燵様の炬燵を形成できる。
図７に示すように、前記のような天面２００の裏面に発熱部（発熱源）２０２が設けられた電気炬燵２を配設し、それに加えて、炬燵下部ボックス３にも発熱部４を備えさせると、より暖かい炬燵が形成できる。
炬燵は、図７に示すように、当該電気炬燵の天面に掛け布団５を掛ければよい。
又、上記のように、本考案によれば、椅子１の下部を物の収納に便利に使用し得る。
【００１６】
本考案によれば、その構造上、狭い空間でも場所を取らずに炬燵２を配設でき、建物の隅部（コ−ナ−）Ｃを利用して設置することができ、その為、ワンル−ムマンション等のような狭い空間の建物でも、掘り炬燵様の炬燵の施工が可能で、従来例のような居間の中央部に設置して、その居間の多くの空間を占拠してしまうようなことがない。
図８は、１ｋのワンル−ムマンションの配置例図である。
本考案によれば、例えば、図８に示すように、キッチンＫに隣り合わせの居間（畳敷）の隅部（コ−ナ−部）Ｃに掘り炬燵様の炬燵を設置することができる。  隅部（コ−ナ−部）Ｃのような狭い空間でも、少ない面積で掘り炬燵を施工でき、冬季には、勿論、掘り炬燵として使用可能で、夏季には、椅子１を有するテ−ブルとしても使用可能で、且つ、椅子１の下部を物の収納にも便利に使用可能となすことができる。
【００１７】
本考案による作用効果を、図示例の図１０を以て対比する。
仮に、図１０（Ａ）に示すように、四角形状の椅子により、四角形状の空間Ｓを形成して、当該空間Ｓ内部に四角形状の電気炬燵を配設するとすると、図示の四隅Ｗが無駄になる。又、図１０（Ｂ）に示すように、円形内部に四角形状の空間を形成して、当該空間内部に四角形状の電気炬燵を配設するとすると、電気炬燵の円周全部が必要となる。
本考案では、図４（Ａ）及び図４（Ｂ）に示すように、四隅が無駄になることがなく、又、円周全部を要しない。
【００１８】
本考案は上記実施例に限定されず、適宜変更が可能である。
【産業上の利用可能性】
【００１９】
本考案は、各種の炬燵に適用することができる。堀炬燵用の座卓を前記空間に配設することもできる。
【図面の簡単な説明】
【００２０】
【図１】本考案の実施例を示す炬燵の立体図である。
【図２】本考案の実施例を示す炬燵の組立図である。
【図３】本考案の実施例を示す炬燵用椅子のセットの立面図である。
【図４】（Ａ）及び（Ｂ）それぞれ本考案の実施例を示す炬燵用椅子のセットの平面図である。
【図５】本考案の実施例で使用される電気炬燵の立体図である。
【図６】（Ａ）及び（Ｂ）それぞれ本考案の実施例を示す平面図である。
【図７】本考案の他の実施例を示す断面図である。
【図８】本考案の実施例を示す建物の構成図である。
【図９】従来例の炬燵の配置図である。
【図１０】（Ａ）及び（Ｂ）それぞれ本考案の作用効果の説明図である。
【００２１】
１    椅子
２    炬燵
３    下部ボックス
４    発熱部
５    脚部
１００    座面
１０１    脚部
Ｓ    空間
Ｃ    隅部（コ−ナ−部）